(57)【要約】【課題】双方向通信可能なデジタル放送局から放送されたキャンペーン情報を受信し、視聴者が簡単な操作でキャンペーンに応募参加することができるキャンペーンの応募参加システムを提供する。【解決手段】視聴者は、予めリモートコントローラ１１に個人データ１５０を記憶させる。キャンペーン応募の際は、リモートコントローラ１１により、キャンペーンコード４５およびキャンペーン情報を入力する。制御部２１は個人データ１５０、キャンペーンデータ１６０等により応募データ１７０を作成し、応募データ１７０をサーバ１３へ送信する。【選択図】図１
2009100348.tif 000002
【特許請求の範囲】
【請求項１】
双方向通信可能なデジタル放送局から放送されたキャンペーン情報を受信し、視聴者が前記キャンペーンに対して応募参加するシステムであって、
放送局からの放送を表示する受信機と、
前記受信機を操作するリモートコントローラと、
を有し
前記リモートコントローラは、
前記受信機の操作および個人データを入力する入力手段と、
前記個人データを記憶する記憶手段と、
前記入力手段の操作に応じてリモートコントローラを制御する制御手段と、
前記入力手段による操作内容および前記個人データを前記受信機に送信する送信手段と、
を有し、
前記受信機は、
放送を受信する第１の受信手段と、
前記リモートコントローラからの信号および前記個人データを受信する第２の受信手段と、
前記リモートコントローラからの信号に基づき受信機の制御を行う受信機制御手段と、
前記受信機制御手段により、放送及び所定の画面を表示する表示手段と、
双方向通信回線を介して、前記キャンペーンの応募データを送信する受信機送信手段と、
を有し、
前記リモートコントローラにより所定の信号と共に前記個人データを前記受信機に送信すると、前記受信機は前記受信機表示手段にキャンペーン入力画面を表示し、前記リモートコントローラによりキャンペーンデータの入力が行われると、前記受信機制御手段は前記応募データを作成することを特徴とする、キャンペーンへの応募参加システム。
【請求項２】
請求項１記載のキャンペーンへの応募参加システムであって、
第１のサーバと、
前記第１のサーバとネットワークを介して接続された第２のサーバと、
を有し、
前記第１のサーバは、
前記応募データをキャンペーン毎に分類する分類手段と、
前記第２のサーバへ前記応募データを送信するサーバ送信手段と、
を有し、
前記第２のサーバは、
前記応募データを集計するデータ集約手段と、
キャンペーンの応募に対して抽選を行う抽選手段と、
を有することを特徴とする、請求項１記載のキャンペーンへの応募参加システム。
【請求項３】
前記応募データは、
前記個人データと、
前記キャンペーンデータと、
前記キャンペーンデータの入力時間と、
を有し、
前記制御手段は、入力された前記キャンペーンデータと、前記リモートコントローラより送信された前記個人データと、前記キャンペーンデータの入力時間から、前記応募データを作成することを特徴とする請求項１記載のキャンペーンの応募参加システム。
【請求項４】
双方向通信可能なデジタル放送局から放送されたキャンペーン情報を受信し、視聴者が前記キャンペーンに対して応募参加する請求項１記載のシステムにおいて使用されるリモートコントローラであって、
前記受信機の操作および前記個人データを入力する入力手段と、
前記個人データを記憶する記憶手段と、
前記入力手段の操作に応じてリモートコントローラを制御する制御手段と、
前記入力手段による操作内容および前記個人データを前記受信機に送信する送信手段と、
を有することを特徴とするリモートコントローラ。
【請求項５】
前記リモートコントローラの前記記憶手段は、複数の人数の個人データを記憶することができることを特徴とする請求項４記載のリモートコントローラ。
【請求項６】
双方向通信可能なデジタル放送局から放送されたキャンペーン情報を受信し、視聴者が前記キャンペーンに対して応募参加する請求項１記載のシステムにおいて、視聴者の受信機と、双方向通信回線を介して接続された第１のサーバであって、
前記応募データを受信する受信手段と、
前記応募データをキャンペーン毎に分類する分類手段と、
前記分類手段により分類された前記応募データをネットワークを介して接続された第２のサーバへ送信するサーバ送信手段と、
を有することを特徴とするサーバ。
【請求項７】
双方向通信可能なデジタル放送局から放送されたキャンペーン情報を受信し、視聴者が前記キャンペーンに対して応募参加する請求項１記載のシステムにおいて、前記第１のサーバとネットワークを介して接続された第２のサーバであって、
前記応募データを受信する受信手段と、
前記応募データを集約するデータ集約手段と、
前記応募データから前記キャンペーンの抽選を行う抽選手段と、
を有することを特徴とするサーバ。
【発明の詳細な説明】
【技術分野】
【０００１】
本発明は、双方向通信可能なデジタル放送局から放送されたキャンペーン情報を受信し、視聴者が簡単な操作でキャンペーンに応募参加することができ、これにより、キャンペーン主催者がより多くの個人データを得ることができるキャンペーンの応募参加システムに関するものである。
【背景技術】
【０００２】
従来、企業が行う新製品プレゼント等のキャンペーンは、放送メディア等を通じて視聴者に配信され、興味を持った視聴者が郵便等により応募参加する方法が多く行われていた。しかし、視聴者は応募するためにハガキ等を購入し、必要事項を記入の上投函する必要があり、また、企業も視聴者からのアンケート等の集約には時間やコストを要するという問題があった。
【０００３】
このような問題に対して、デジタル放送の双方向通信を利用し、企業からの情報を視聴者へ提供すると共に、視聴者からの応募参加を回線上で行う方法がある。例えば、番組やＣＭ（コマーシャル）のデジタル放送と同時に連動するデジタル情報を放送し、興味を持った視聴者は、これらデジタル情報に従って資料請求等を行う事ができ、この際に必要な個人データを入力して、同時に送信することで企業の欲しい視聴者情報を得ることができるシステムがある（特許文献1）。
【０００４】
また、予め会員登録を行い、番組に組み込まれたアンケート情報を視聴者へ送信し、興味を持った視聴者が、これらアンケートに回答し、マーケティング調査を行うシステムがある（特許文献２）。
【特許文献１】特開２００２−１３２８７４号公報
【特許文献２】特開２００２−３３５５２０号公報
【発明の開示】
【発明が解決しようとする課題】
【０００５】
しかし、特許文献１に記載のシステムでは、視聴者は参加する都度必要な個人情報を入力する必要がある。このため、多くの情報を得ようとすればするほど、アンケート回答項目の入力項目も増え、入力工数を要し、視聴者の参加意欲を減退するという問題がある。
【０００６】
また、特許文献２に記載のシステムでは、予め会員登録を要することから、視聴者にとって手続きが迂遠であるとともに、家族がいる場合には、家族全員の登録が必要となる。また、予め個人情報を登録していても、最新の個人情報に更新するために更に手続きが必要である事から、かかる手続きが面倒であるという問題がある。
【０００７】
本発明は、このような問題に鑑みてなされたもので、双方向通信可能なデジタル放送局から放送されたキャンペーン情報を受信し、視聴者が簡単な操作でキャンペーンに応募参加することができ、これにより、キャンペーン主催者がより多くの個人データを得ることができるキャンペーンの応募参加システムを提供することを目的とする。
【課題を解決するための手段】
【０００８】
前述した目的を達成するため、第１の発明は、双方向通信可能なデジタル放送局から放送されたキャンペーン情報を受信し、視聴者が前記キャンペーンに対して応募参加するシステムであって、放送局からの放送を表示する受信機と、前記受信機を操作するリモートコントローラと、を有し前記リモートコントローラは、前記受信機の操作および個人データを入力する入力手段と、前記個人データを記憶する記憶手段と、前記入力手段の操作に応じてリモートコントローラを制御する制御手段と、前記入力手段による操作内容および前記個人データを前記受信機に送信する送信手段と、を有し、前記受信機は、放送を受信する第１の受信手段と、前記リモートコントローラからの信号および前記個人データを受信する第２の受信手段と、前記リモートコントローラからの信号に基づき受信機の制御を行う受信機制御手段と、前記受信機制御手段により、放送及び所定の画面を表示する表示手段と、双方向通信回線を介して、前記キャンペーンの応募データを送信する受信機送信手段と、を有し、前記リモートコントローラにより所定の信号と共に前記個人データを前記受信機に送信すると、前記受信機は前記受信機表示手段にキャンペーン入力画面を表示し、前記リモートコントローラによりキャンペーンデータの入力が行われると、前記受信機制御手段は前記応募データを作成することを特徴とする、キャンペーンへの応募参加システムである。
【０００９】
第１のサーバと、前記第１のサーバとネットワークを介して接続された第２のサーバと、を有し、前記第１のサーバは、前記応募データをキャンペーン毎に分類する分類手段と、前記第２のサーバへ前記応募データを送信するサーバ送信手段と、を有し、前記第２のサーバは、前記応募データを集計するデータ集約手段と、キャンペーンの応募に対して抽選を行う抽選手段と、を有してもよい。
【００１０】
前記応募データは、前記個人データと、前記キャンペーンデータと、前記キャンペーンデータの入力時間と、を有し、前記制御手段は、入力された前記キャンペーンデータと、前記リモートコントローラより送信された前記個人データと、前記キャンペーンデータの入力時間から、前記応募データを作成してもよい。
【００１１】
第１の発明によれば、予め必要な個人データをリモートコントローラに登録することができるため、キャンペーンへの応募時に都度個人データを入力する必要がなく、視聴者は、わずかな操作でキャンペーンに応募参加することができる。また、家庭で簡単に個人データをリモートコントローラに登録することができるため、特別な手続きを要せず、データに変更が生じた場合にも即座に対応することができる。また、家族がいる場合にも、家族分のデータを登録することができ、操作時に選択することができるので、より正確な個人データを送信することができる。
【００１２】
視聴者が簡単にキャンペーンに応募参加することができるため、キャンペーン主催者も、より多くの情報を得ることができるとともに、サーバにより自動抽選や自動集計を行うことができるため、工数やコストの削減を達成することもできる。
【００１３】
第２の発明は、双方向通信可能なデジタル放送局から放送されたキャンペーン情報を受信し、視聴者が前記キャンペーンに対して応募参加する第１の発明にかかるシステムにおいて使用されるリモートコントローラであって、前記受信機の操作および前記個人データを入力する入力手段と、前記個人データを記憶する記憶手段と、前記入力手段の操作に応じてリモートコントローラを制御する制御手段と、前記入力手段による操作内容および前記個人データを前記受信機に送信する送信手段と、を有することを特徴とするリモートコントローラである。
【００１４】
前記リモートコントローラの前記記憶手段は、複数の人数の個人データを記憶することができてもよい。
【００１５】
第２の発明によれば、リモートコントローラに予め必要な個人データを登録することができるため、キャンペーンへの応募時に都度個人データを入力する必要がなく、視聴者は、わずかな操作でキャンペーンに応募参加することができる。また、リモートコントローラへの個人データの登録は、家庭で簡単にできるため、特別な手続きを要せず、データに変更が生じた場合にも即座に対応することができる。また、家族がいる場合にも、家族分のデータを登録することができ、リモートコントローラを家族で共有することができる。
【００１６】
第３の発明は、第１の発明にかかるキャンペーンへの応募参加システムにおいて使用される、視聴者の受信機と、双方向通信回線を介して接続された第１のサーバであって、前記応募データを受信する受信手段と、前記応募データをキャンペーン毎に分類する分類手段と、前記分類手段により分類された前記応募データをネットワークを介して接続された第２のサーバへ送信するサーバ送信手段と、を有することを特徴とするサーバである。
【００１７】
第３の発明によれば、視聴者からのキャンペーン応募データを、キャンペーン毎に自動的に分類することができ、分類されたデータは、キャンペーン主催者等に設置された第２のサーバへ自動的に送信されるため、分類工数やコストの削減を達成することができる。
【００１８】
第４の発明は、第１の発明にかかるキャンペーンへの応募参加システムにおいて使用される第１のサーバとネットワークを介して接続された第２のサーバであって、前記応募データを受信する受信手段と、前記応募データを集約するデータ集約手段と、前記応募データから前記キャンペーンの抽選を行う抽選手段と、を有することを特徴とするサーバである。
【００１９】
第４の発明によれば、キャンペーンの応募データをサーバにより自動抽選や自動集計を行うことができるため、工数やコストの削減を達成することができる。
【発明の効果】
【００２０】
本発明によれば、双方向通信可能なデジタル放送局から放送されたキャンペーン情報を受信し、視聴者が簡単な操作でキャンペーンに応募参加することができ、これにより、キャンペーン主催者がより多くの個人データを得ることができ、個人データの集計等の工数を大幅に削減することができるキャンペーンの応募参加システムを提供することができる。
【発明を実施するための最良の形態】
【００２１】
以下、本発明の実施の形態を詳細に説明する。図１は、本実施の形態に係るキャンペーン応募参加システム１の概略構成図である。キャンペーン応募参加システム１は、主に、視聴者３に設置される受信機９、および受信機９の操作に使用されるリモートコントローラ１１と、放送局５に設置され、又は放送局等から委託された代理店等に設置されるサーバ１３と、主に広告主やキャンペーン等を行う代理店などのキャンペーン主催者７に設置されるサーバ１７とにより構成される。
【００２２】
視聴者３に設置された受信機９は、放送局５に設置され、又は放送局等から委託された代理店等に設置されたサーバ１３と双方向通信回線１５により接続されている。また、サーバ１３は、キャンペーン主催者７に設置されたサーバ１７とネットワーク１９及び代理店６に設置されたサーバ１６を介して接続されている。サーバ１６は、サーバ１３より受信した情報を単にサーバ１７へ受け渡すものであり、情報の管理等において必要に応じて設置される。すなわち、サーバ１３はサーバ１６を介さずに直接サーバ１７とネットワーク１９を通じて接続されても良い。従って、以下の説明においては、サーバ１６を介さずにサーバ１３とサーバ１７とが直接ネットワーク１９を介して接続している場合について説明する。
【００２３】
図２は受信機９の構成図である。受信機９は、制御部２１、受信部２３、リモコン信号受信部２５、表示部２７、通信制御部２９等がバス３１を介して接続される。
【００２４】
制御部２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、ＲＯＭ等に格納されるプログラムをＲＡＭ上のワークメモリ領域に呼び出して実行し、バス３１を介して接続された各部を駆動制御する。
【００２５】
受信部２３は、放送局により電波によって送信された番組等の情報を、アンテナ等により受信機９へ受信する。受信された番組等の情報は、制御部２１の処理に伴い表示部２７に表示される。
【００２６】
リモコン信号受信部２５は、後述するリモートコントローラ１１から送信された赤外線等による信号を受信する。受信した赤外線等による信号は、制御部２１により制御信号に変換され、制御部２１は信号に応じた処理を行う。
【００２７】
表示部２７は、ブラウン管テレビ、液晶テレビ等である。受信部２３により受信した放送情報や、各種入力画面等は、制御部２１による処理により表示部２７に表示される。
【００２８】
通信制御部２９は、通信制御装置等を有し、双方向通信回線１５を介して受信機９と放送局５等との間の通信を媒介する通信インタフェースであり、双方向通信における上り回線へのデータの送信等の通信制御を行う。
【００２９】
バス３１は、各装置間の制御信号、データ信号等の授受を媒介する経路である。
【００３０】
次に、リモートコントローラ１１について説明する。図３はリモートコントローラ１１の構成図である。リモートコントローラ１１は、制御部３３、記憶部３５、入力部３７、リモコン信号送信部３９等がバス４１を介して接続される。
【００３１】
制御部３３は、ＣＰＵ、ＲＯＭ、ＲＡＭ等で構成される。ＣＰＵは、記憶部３５、ＲＯＭ等に格納されるプログラムやデータをＲＡＭ上のワークメモリ領域に呼び出し、バス４１を介して接続された各部を駆動制御する。
【００３２】
記憶部３５はフラッシュメモリ等であり、後述する入力部３７により入力された個人データ等の情報が格納される。記憶された情報は、制御部３３により必要に応じて読み出されてＲＡＭに移される。
【００３３】
入力部３７は、受信機９の操作やデータの入力を行う。入力部３７は、予め割り当てられた機能を有するボタン等を有するリモコンキーである。入力部３７を介して、受信機９の電源のオンオフやチャンネル切り替え等の操作を行い、また、後述する個人データの入力や、キャンペーンデータ入力等の操作を行うことができる。
【００３４】
リモコン信号送信部３９は、例えば赤外線発光部である。制御部３３は、入力部３７による操作内容や、記憶部３５に保存されていたデータ等を赤外線信号に変換し、リモコン信号送信部３９より受信機９へ信号を発信する。
【００３５】
バス４１は、各装置間の制御信号、データ信号等の授受を媒介する経路である。
【００３６】
放送局５からの放送を受信機９で受信すると、視聴者３のリモートコントローラ１１の操作により、番組等の情報を受信機９に表示させることができる。また、リモートコントローラ１１で入力されたデータや記憶部３５に保存されていたデータは、リモートコントローラ１１により、受信機９へ送信することができる。制御部２１は、受信機９に送信されたデータや情報に基づき後述する各種の処理を行うことができる。また、受信機９に送信された情報やデータは、双方向通信回線１５によりサーバ１３へ送信することができる。
【００３７】
サーバ１３は、受信機９からのデータを受信すると、データの分類を行い、データごとに各キャンペーン主催者７のサーバ１７へ送信することができる。サーバ１７は、データを集約し、マーケット情報としてデータ収集することができる。また、サーバ１７は、キャンペーンデータに含まれるプレゼント等の抽選を自動的に行い、視聴者３への配送等の指示を与えることができる。
【００３８】
次に、キャンペーン応募参加システム１の具体的な流れについて詳細を説明する。まず、リモートコントローラ１１に個人データが入力される。図４は個人データの入力手順を示すフローチャートである。個人データを入力するためには、リモートコントローラ１１を個人データ入力状態にする（ステップ１０１）。制御部３３は、例えばリモートコントローラ１１における入力部３７の所定のボタンが押されることで、個人データ入力状態への切り替えを行う。
【００３９】
次に、入力部３７により個人ＩＤを入力する（ステップ１０２）。個人ＩＤは、各リモートコントローラ１１について決められるもので、例えば家族で１台のリモートコントローラ１１を使用する場合に、家族それぞれに別々の個人ＩＤが割り当てられることで、リモートコントローラ１１を共有することができる。制御部３３は、個人ＩＤとして例えば任意の数字又はアルファベット等により各個人データを区別して管理する。
【００４０】
次に、入力部３７により個人データを入力する（ステップ１０３）。図５は、個人データ１５０の一例を示す図である。個人データ１５０は、各個人の情報に関するものであり、個人ＩＤ１５１を含め、氏名１５２、住所１５３、年齢１５４、職業１５５、性別１５６などを有している。氏名１５２、住所１５３、年齢１５４、職業１５５、性別１５６は、それぞれ視聴者３の氏名、住所、年齢、職業、性別である。
【００４１】
入力された個人データ１５０は一時的に制御部３３へ保管され、視聴者３の操作により記憶部３５に記憶される（ステップ１０４、１０５）。前述のとおり、記憶部３５は複数の個人データ１５０を記憶することができ、個人ＩＤ１５１により区別されている。
【００４２】
制御部３３は、例えばリモートコントローラ１１における入力部３７の所定のボタンが押されることで、個人データ１５０を記憶部３５へ保管する。また、個人データ１５０の修正を行う際には、制御部３３は、前述した個人データ入力状態において、記憶部３５より個人データ１５０を呼び出し、入力時と同様に個人データ１５０の修正入力が行われた後、修正後の個人データ１５０を記憶部３５へ上書き保存を行う。
【００４３】
また、個人データ１５０の入力はリモートコントローラ１１の操作により行われるが、入力画面や確認表示としては、受信機９の表示部２７が使用されても良く、また、リモートコントローラ１１に個人データ入力等に用いられる液晶画面等を別途設けても良い。入力画面として表示部２７を使用する場合は、入力部３７の所定のボタンが押される都度、リモートコントロール１１内の情報を表示部２７へ表示すればよい。また、個人データ１５０を入力するために、入力部３７は数字、ローマ字の他、ひらがな入力や漢字変換機能も有することが望ましい。
【００４４】
次に、本実施の形態にかかるキャンペーンへの応募参加方法について説明する。図６は、キャンペーンへの応募参加手順を示したフローチャートであり、また、図７はキャンペーンデータ１６０の一例を示した図、図８は応募データ１７０の一例を示した図、図９はキャンペーンデータ入力時の表示部２７の画面の一例を示す図である。
【００４５】
まず放送局５からキャンペーン情報を含む放送が発信される（ステップ２０１）。キャンペーン情報とは、主に広告主や代理店などのキャンペーン主催者７によって予め作成されるものであり、例えば、新商品のプレゼントやモニター募集などである。作成されたキャンペーン情報に基づき放送局５は番組を放送する。
【００４６】
放送は受信部２３により受信され（ステップ２０２）、視聴者３がリモートコントローラ１１により当該番組等を選択すると（ステップ２０３）、当該放送内容が表示部２７に表示される（ステップ２０４）。
【００４７】
図９（ａ）は、キャンペーン情報を含む番組又はＣＭ放送４３が表示部２７に表示された状態の一例を示す図である。キャンペーン情報には、それぞれキャンペーンコード４５が付与される。キャンペーンコード４５は例えば数字とアルファベットの組み合わせであり、各キャンペーンを区別するものである。
【００４８】
キャンペーン情報を含む番組又はＣＭ放送４３が表示されると、表示部２７の一部にキャンペーンコード４５が表示される（ステップ２０４）。キャンペーンコード４５は、例えば表示部２７の画面下の隅に小さく表示される。
【００４９】
キャンペーン情報に興味を持った視聴者３により、入力部３７にキャンペーンコード４５が入力され、リモコン信号受信部２５へ送信されると（ステップ２０５）、制御部２１は表示部２７にキャンペーンデータ入力画面４７を表示する（ステップ２０６）。この際、記憶部３５に予め記憶されている個人ＩＤの選択により、入力されたキャンペーンコード４５と同時に、対応する個人データ１５０がリモコン信号受信部２５へ送信される。
【００５０】
図９（ｂ）は、キャンペーンコード４５を受信した後、制御部２１が表示部２７にキャンペーンデータ入力画面４７を表示した一例を示す図である。キャンペーンデータ入力画面４７は、受信した番組又はＣＭ放送４３を表示したまま、例えば表示部２７の画面下に帯状に表示される。
【００５１】
次に、視聴者３により、キャンペーンデータ１６０が入力される（ステップ２０７）。図７に示すように、キャンペーンデータ１６０は、キャンペーンコード１６１、プレゼント番号１６２、アンケート回答１６３等を有する。プレゼント番号１６２は、キャンペーンにおけるプレゼントが、複数の中から選択できるような場合に、選択されたプレゼントの番号を示すものである。
【００５２】
アンケート回答１６３は、各キャンペーン主催者７により予め作製されたアンケート質問に対する回答である。各キャンペーン主催者７は、必要に応じて、予めアンケート内容をキャンペーン情報として折り込むことで、欲しい情報を得ることができる。なお、アンケート質問項目は複数用意されていても良く、この場合、アンケート回答１６３は複数の情報を有する。
【００５３】
ここで、キャンペーンデータ１６０の入力は、表示部２７に表示されたキャンペーン入力画面４７上にて行われる。例えば、入力部３７の左右ボタンによる操作内容がリモコン信号受信部２５へ送信されると、制御部２１は表示されたキャンペーン入力画面４７上のカーソル等を移動表示し、さらに入力部３７の決定ボタンが押されると、制御部２１は選択した選択肢について決定処理を行う。
【００５４】
このようにして入力されたキャンペーンデータ１６０は制御部２１に一時的に保管される。すべてのキャンペーンデータ１６０の入力が終了すると、制御部２１は、応募データ１７０を作成する（ステップ２０８）。
【００５５】
応募データ１７０は、図８に示すようにキャンペーンデータ１６０、個人データ１５０、入力時間１７１等を有する。入力時間１７１は、キャンペーンデータ１６０が入力された時間であり、視聴者３が当該キャンペーンに参加した時間を表す。個人データ１５０は、前述のとおり、キャンペーンコード４５と共に制御部２１へ送信され、制御部２１に一時的に保管されているため、視聴者３は、キャンペーンデータ１６０のみを入力すれば、応募参加の都度、個人データ１５０を入力する必要はない。
【００５６】
次に制御部２１は、表示部２７に応募データ確認画面４９を表示させる（ステップ２０９）。図９（ｃ）は、応募データ確認画面４９を表示した一例を示す図である。応募データ確認画面４９は、受信した番組又はＣＭ放送４３を表示したまま、例えば表示部２７の画面下に帯状に表示される。
【００５７】
応募データ１７０の内容を確認した視聴者３により、送信許可の決定がなされると（ステップ２０９）、送信許可信号を受けた制御部２１は、通信制御部２９により双方向通信回線１５を介してサーバ１３へ応募データ１７０を送信する。
【００５８】
サーバ１３は、各視聴者３のもとに置かれた受信機９の通信制御部２９からの応募データ１７０を受信すると、応募データ１７０に含まれるキャンペーンコード４５毎に分類する（ステップ２１２）。
【００５９】
次に、サーバ１３は、キャンペーンコード４５ごとに分類された応募データ１７０を、各キャンペーンコード４５に対応するサーバ１７へネットワーク１９を介して送信する（ステップ２１３）。
【００６０】
サーバ１７は、応募データ１７０を受信すると、応募データ１７０の内容を集約して分析を行う（ステップ２１４）。例えば、応募データ１７０に含まれる、年齢１５４や性別１５５、入力時間１７１などから、どの時間帯にどの年齢層、性別の視聴者３が、当該キャンペーンに関連する情報に興味を有しているかを分析することができ、また、アンケート回答を、職業や住所などで層別して、必要に応じてグラフ化等を行うこともでき、詳細なマーケティング情報を得ることができる。
【００６１】
サーバ１７は、更に、応募データ１７０を応募データ１７０に含まれるプレゼント番号１６２により分類し、所定の期間経過後、プレゼントの抽選を行う（ステップ２１５）。
【００６２】
次に、サーバ１７は、プレゼントの当選者の住所、氏名を元に、プレゼントの発送元や宅配業者へプレゼントの発送指示が出力され（ステップ２１６）、プレゼント抽選に当選した視聴者の元へ、後日、プレゼントが配達される。
【００６３】
以上説明してきたように、本実施の形態によれば、双方向通信によりキャンペーンへの応募参加を行うため、視聴者３はハガキや切手を購入する必要がなく、手軽にキャンペーンへ応募参加することができる。また、予め個人データ１５０をリモートコントローラ１１に記憶させることができるため、応募の都度、個人データ１５０を入力する必要がなく、簡単な操作でその場で各種キャンペーンへ応募参加することができる。
【００６４】
リモートコントローラ１１は、複数の個人データ１５０を記憶することができるため、家族などの複数の者であっても、１台のリモートコントローラ１１を共有することができる。また、リモートコントローラ１１へ個人データ１５０を記憶させるためには、特別な手続きは不要であるため、個人データ１５０に変更が生じた場合にも、各視聴者は、簡単に個人データ１５０を各自で修正することができる。
【００６５】
視聴者３が応募参加を簡単に行うことができることにより、キャンペーン主催者７は、より多くの視聴者３の応募を見込むことができ、より多くの応募データ１７０を収集する事ができる。また、応募データ１７０に含まれる個人データ１５０等の集約には、ハガキ情報の読み込み、および打ち込み作業を必要とせず、また、不要のハガキの処分を行う必要もない。このため、データの集約や分析に要する人員コストや時間を大幅に削減することができる。また、リアルタイムで応募情報１７０を分析することができるため、迅速に必要な情報を収集し、新商品の開発等へ活かすことができる。
【００６６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６７】
例えば、本実施の形態においては、キャンペーンコード４５と同時に個人データ１５０が受信機９へ送信されるが、個人データ１５０の送信はキャンペーンデータ１６０入力終了後に行われても良い。また、サーバ１３の有するデータの振り分け機能を、サーバ１６に持たせても良く、この場合は、サーバ１６からサーバ１７へデータが送信される。また、サーバ１７の有するデータの集約、分析機能とプレゼント抽選機能を別個のサーバに持たせても良い。また、例えばキャンペーン入力画面４７の表示の際に、番組又はＣＭ放送４３の画面を見られなくし、画面全体にキャンペーン入力画面４７を表示しても良い。
【図面の簡単な説明】
【００６８】
【図１】本実施の形態にかかるキャンペーン応募システム１の構成を示す図。
【図２】受信機９の構成を示す図。
【図３】リモートコントローラ１１の構成を示す図。
【図４】リモートコントローラ１１に個人データ１５０を入力する手順を示すフローチャート。
【図５】個人データ１５０の一例を示す図。
【図６】視聴者３がキャンペーンに応募参加する手順を示すフローチャート。
【図７】キャンペーンデータ１６０の一例を示す図。
【図８】応募データ１７０の一例を示す図。
【図９】キャンペーンデータ入力時の表示部２７の画面の一例を示す図で、（ａ）はキャンペーンコード４５が表示された状態を示す図、（ｂ）はキャンペーンデータ入力画面４７が表示された状態を示す図、（ｃ）は応募データ確認画面４９が表示された状態を示す図。
【符号の説明】
【００６９】
１………キャンペーン応募システム
３………視聴者
５………放送局
６………代理店
７………キャンペーン主催者
９………受信機
１１………リモートコントローラ
１３………サーバ
１５………双方向通信回線
１６………サーバ
１７………サーバ
１９………ネットワーク
２１………制御部
２３………受信部
２５………リモコン受信部
２７………表示部
２９………通信制御部
３１………バス
３３………制御部
３５………記憶部
３７………入力部
３９………リモコン信号送信部
４１………バス
４３………番組又はＣＭ
４５………キャンペーンコード
４７………キャンペーンデータ入力画面
４９………応募データ確認画面
【図１】
2009100348.tif 000003
【図２】
2009100348.tif 000004
【図３】
2009100348.tif 000005
【図４】
2009100348.tif 000006
【図５】
2009100348.tif 000007
【図６】
2009100348.tif 000008
【図７】
2009100348.tif 000009
【図８】
2009100348.tif 000010
【図９】
2009100348.tif 000011